(57)【特許請求の範囲】
【請求項１】
空気を清浄化する空気清浄部（２０）と、
空気中の水分を吸着するための回転可能な吸着ロータ（４１）と、前記吸着ロータの第１領域（４１ａ）を通過する空気を加熱することで前記吸着ロータから水分を放出させるヒータ（４２）と、前記ヒータによって加熱された空気を前記第１領域に流す再生ファン（４３）と、を有する除湿部（４０）と、
前記空気清浄部、及び、前記吸着ロータの前記第１領域とは別の第２領域（４１ｂ）に空気を流すメインファン（１２）と、
対象空間の空気を清浄化する空気清浄運転と、前記対象空間を除湿する除湿運転と、前記吸着ロータに付着した物質を除去するためのクリーン運転と、を行う制御部（６０）と、
を備え、
前記空気清浄運転、前記除湿運転、及び、前記クリーン運転では、前記メインファンが駆動されており、
前記クリーン運転は、開始条件が満たされた場合に開始され、終了条件が満たされた場合に終了する運転であって、前記ヒータが駆動されて前記第１領域を通過する空気が加熱され、かつ、前記吸着ロータが３６０度未満の所定角度（θ）だけ回転するメインクリーン運転を含み、
前記制御部は、
先の前記メインクリーン運転と先の前記メインクリーン運転が行われた後に行われる前記メインクリーン運転との間にユーザによって設定された運転が行われるように、先の前記メインクリーン運転が終了しても、先の前記メインクリーン運転の開始前に行われていた運転を継続し、
前記クリーン運転において、前記メインクリーン運転を複数回行うことで、前記吸着ロータを３６０度以上回転させる、
空気清浄機（１０）。
【請求項２】
前記制御部は、
前記ヒータが所定出力未満の出力で駆動され、かつ、前記メインファンが駆動された時間を積算する積算部（６６）と、
前記積算部に積算される積算時間が第１所定時間以上となった時に前記開始条件が満たされたと判断する判断部（６５）と、
を有する、
請求項１に記載の空気清浄機。
【請求項３】
前記積算部は、前記判断部によって前記開始条件が満たされたと判断される前に、前記ヒータが前記所定出力以上の出力で駆動され、かつ、前記メインファンが第２所定時間以上駆動された場合には、積算した積算時間をリセットする、
請求項２に記載の空気清浄機。
【請求項４】
前記積算部は、前記メインクリーン運転が終了した時に、積算した積算時間をリセットする、
請求項２又は３に記載の空気清浄機。
【請求項５】
前記メインクリーン運転では、前記ヒータの駆動中は、前記吸着ロータの回転は停止されている、
請求項１から４のいずれか１項に記載の空気清浄機。
【請求項６】
前記メインクリーン運転では、前記ヒータが駆動される前、又は、駆動中の前記ヒータの駆動が停止された後に、前記吸着ロータが前記所定角度だけ回転する、
請求項１から５のいずれか１項に記載の空気清浄機。
【請求項７】
前記吸着ロータの回転軸に直交しており、かつ、前記回転軸から延びる第１直線（Ｌ１）と第２直線（Ｌ２）とのなす角度を前記所定角度とした場合に、前記第１直線及び前記第２直線によって規定される前記吸着ロータの所定角度領域（４１ｃ）は、前記第１領域よりも小さい、
請求項１から６のいずれかに１項に記載の空気清浄機。
【請求項８】
前記クリーン運転は、前記ヒータの駆動が停止され、前記再生ファンが駆動されるアフタークリーン運転を含み、
前記制御部は、前記メインクリーン運転の終了後に、前記メインクリーン運転から前記アフタークリーン運転に運転を切り換える、
請求項１から７のいずれか１項に記載の空気清浄機。
【請求項９】
前記クリーン運転以外の運転から前記メインクリーン運転に運転が切り換わった場合、前記メインクリーン運転では、前記メインファンの風量として前記メインクリーン運転に切り換わる前の運転時の風量が維持されている、
請求項１から８のいずれか１項に記載の空気清浄機。
【請求項１０】
所定事項をユーザに報知可能な報知部（９０）を更に備え、
前記制御部は、前記開始条件が満たされていると判断した場合には、前記メインクリーン運転を自動的に開始し、
前記報知部は、前記メインクリーン運転に関する報知を行わない、
請求項１から９のいずれか１項に記載の空気清浄機。
【請求項１１】
ユーザからの運転内容の変更に関する運転変更指示を受け付ける第１受付部（８２）を更に備え、
前記制御部は、
前記メインクリーン運転を行っている間に、前記第１受付部において前記運転変更指示が受け付けられた場合には、
現在行っている運転から前記運転変更指示に基づく運転に運転内容を切り換え、かつ、前記メインクリーン運転を継続して行う、
請求項１から１０のいずれか１項に記載の空気清浄機。
【請求項１２】
ユーザからの設定風量の変更に関する風量変更指示を受け付ける第２受付部（８３）を更に備え、
前記制御部は、
前記メインクリーン運転を行っている間に、前記第２受付部において前記風量変更指示が受け付けられた場合には、
現在の設定風量から前記風量変更指示に基づく風量に切り換えて、前記メインクリーン運転を継続して行う、
請求項１から１１のいずれか１項に記載の空気清浄機。
【請求項１３】
前記第１所定時間は、２４時間の約数を除く時間に設定されている、
請求項２に記載の空気清浄機。
【請求項１４】
前記メインクリーン運転では、前記ヒータが、前記除湿運転時の最大出力よりも低い出力で駆動される、
請求項１から１３のいずれか１項に記載の空気清浄機。
【請求項１５】
前記積算部は、前記ヒータが前記所定出力以上の出力で駆動され、かつ、前記メインファンが駆動された駆動時間を更に積算し、
前記判断部は、予め設定されている第３所定時間に前記駆動時間を加えた時間を、前記第１所定時間とみなして前記開始条件を判断する、
請求項２から４のいずれか１項に記載の空気清浄機。
【請求項１６】
空気を清浄化する空気清浄部（２０）と、
空気中の水分を吸着するための回転可能な吸着ロータ（４１）と、前記吸着ロータの第１領域（４１ａ）を通過する空気を加熱することで前記吸着ロータから水分を放出させるヒータ（４２）と、前記ヒータによって加熱された空気を前記第１領域に流す再生ファン（４３）と、を有する除湿部（４０）と、
前記空気清浄部、及び、前記吸着ロータの前記第１領域とは別の第２領域（４１ｂ）に空気を流すメインファン（１２）と、
対象空間の空気を清浄化する空気清浄運転と、前記対象空間を除湿する除湿運転と、前記吸着ロータに付着した物質を除去するためのクリーン運転と、を行う制御部（６０）と、
を備え、
前記空気清浄運転、前記除湿運転、及び、前記クリーン運転では、前記メインファンが駆動されており、
前記クリーン運転は、開始条件が満たされた場合に開始され、終了条件が満たされた場合に終了する運転であって、前記ヒータが駆動されて前記第１領域を通過する空気が加熱され、かつ、前記吸着ロータが３６０度未満の所定角度（θ）だけ回転するメインクリーン運転を含み、
前記制御部は、
先の前記メインクリーン運転と先の前記メインクリーン運転が行われた後に行われる前記メインクリーン運転との間にユーザによって設定された運転が行われるように、先の前記メインクリーン運転の終了後に、先の前記メインクリーン運転の開始前に行われていた運転を行い、
前記クリーン運転において、前記メインクリーン運転を複数回行うことで、前記吸着ロータを３６０度以上回転させる、
空気清浄機（１０）。
【請求項１７】
先の前記メインクリーン運転と先の前記メインクリーン運転が行われた後に行われる前記メインクリーン運転との間に行われる運転には、前記除湿運転が含まれない、
請求項１から１６のいずれか１項に記載の空気清浄機。
【発明の詳細な説明】
【技術分野】
【０００１】
本発明は、空気清浄機能及び除湿機能を有する空気清浄機に関する。
【背景技術】
【０００２】
従来より、対象空間の空気を清浄化する空気清浄機には、空気清浄運転の他に、対象空間を除湿する除湿運転を行うものがある。このような空気清浄機には、デシカント式の除湿部を備えるものがあり、デシカント式の除湿部の多くは、吸湿剤としての吸着ロータと、吸着ロータを再生するためのヒータとを有している。
【０００３】
ここで、デシカント式の除湿部を備える空気清浄機では、ヒータの使用されない運転（例えば、空気清浄運転等）が長期間行われることで、吸着ロータに水以外の物質（例えば、有機物等）が蓄積することがある。そして、水以外の物質が蓄積した状態の吸着ロータがヒータで加熱されると、吸着ロータに蓄積した物質が熱せられることで、吸着ロータが異常な温度になり、吸着ロータから煙が発生するという問題が生じるおそれがある。
【０００４】
このような問題に鑑みて、例えば、特許文献１（特開２００９―１６５９５６号公報）に開示されているデシカント式の除湿装置では、除湿ロータ（吸着ロータに相当）に付着した有機成分を除去するために、再生ヒータ（ヒータに相当）の発熱量を最大にしたり、除湿ロータを回転したりする除湿ロータのクリーニングが行われている。
【発明の概要】
【発明が解決しようとする課題】
【０００５】
ところで、吸着ロータに付着する水以外の物質（以下、除去対象物質という）を除去するために、吸着ロータを回転させると、吸着ロータ全体から除去対象物質を除去するためには、吸着ロータを加熱しつつ回転させる状態をある程度の時間は継続する必要があり、ユーザの所望する運転の実行される時間が短くなってしまう。
【０００６】
そこで、本発明の課題は、短時間の動作で、吸着ロータに除去対象物質が蓄積するおそれを低減することができる空気清浄機を提供することにある。
【課題を解決するための手段】
【０００７】
本発明の第１観点に係る空気清浄機は、空気清浄部と、除湿部と、メインファンと、制御部と、を備えている。空気清浄部は、空気を清浄化する。除湿部は、吸着ロータと、ヒータと、再生ファンと、を有する。吸着ロータは、空気中の水分を吸着する。また、吸着ロータは、回転可能である。ヒータは、吸着ロータの第１領域を通過する空気を加熱することで、吸着ロータから水分を放出させる。再生ファンは、ヒータによって加熱された空気を、第１領域に流す。メインファンは、空気清浄部、及び、吸着ロータの第２領域に空気を流す。吸着ロータの第２領域とは、吸着ロータにおける第１領域とは別の領域である。制御部は、空気清浄運転と、除湿運転と、クリーン運転と、を行う。空気清浄運転とは、対象空間の空気を清浄化する運転である。除湿運転は、対象空間を除湿する運転である。クリーン運転は、吸着ロータに付着した物質を除去するための運転である。また、空気清浄運転、除湿運転、及び、クリーン運転では、メインファンが駆動されている。さらに、クリーン運転は、メインクリーン運転を含む。メインクリーン運転は、開始条件が満たされた場合に開始され、終了条件が満たされた場合に終了する運転である。また、メインクリーン運転では、ヒータが駆動されて第１領域を通過する空気が加熱され、かつ、吸着ロータが３６０度未満の所定角度だけ回転する。さらに、制御部は、先のメインクリーン運転と、先のメインクリーン運転が行われた後に行われるメインクリーン運転との間に、ユーザによって設定された運転が行われるように、先のメインクリーン運転が終了しても、先のメインクリーン運転の開始前に行われていた運転を継続する。また、制御部は、クリーン運転において、メインクリーン運転を複数回行うことで、吸着ロータを３６０度以上回転させる。
【０００８】
本発明の第１観点に係る空気清浄機では、メインクリーン運転では吸着ロータが３６０度未満の所定角度だけ回転し、メインクリーン運転が終了してもメインクリーン運転の開始前に行われていた運転が継続される。このため、例えば、メインクリーン運転において吸着ロータが同じ速度で３６０度回転される場合と比較して、１回のメインクリーン運転の実行時間を短くすることができる。この結果、ユーザの所望する運転の行われる時間が短くならないようにすることができる。さらに、クリーン運転ではメインクリーン運転が複数回行われることで吸着ロータが３６０度以上回転されるため、クリーン運転が１回行われることで、吸着ロータ全体から除去対象物質を除去することができる。
【０００９】
これによって、短時間のクリーン運転で、吸着ロータに除去対象物質が蓄積するおそれを低減することができる。
【００１０】
本発明の第２観点に係る空気清浄機は、第１観点の空気清浄機において、制御部は、積算部と、判断部と、を有する。積算部は、ヒータが所定出力未満の出力で駆動され、かつ、メインファンが駆動された時間を積算する。判断部は、積算部に積算される積算時間が、第１所定時間以上となった時に、開始条件が満たされたと判断する。このため、例えば、第１所定時間が短い（例えば、２４時間など）場合には、ヒータが低出力で駆動されるメインクリーン運転をこまめに行うことができる。この結果、除去対象物質のうち特に低沸点の物質を、吸着ロータに蓄積する前に除去することができる。
【００１１】
これによって、吸着ロータが異常な温度になったり、吸着ロータから煙が発生したりするおそれを低減することができる。
【００１２】
本発明の第３観点に係る空気清浄機は、第２観点に空気清浄機において、積算部は、判断部によって開始条件が満たされたと判断される前に、ヒータが所定出力以上の出力で駆動され、かつ、メインファンが第２所定時間以上駆動された場合には、積算した積算時間をリセットする。
【００１３】
例えば、ヒータが所定出力で駆動された状態でメインファンが第２所定時間駆動される運転が行われることで、メインクリーン運転が行われた時と同等或いはそれ以上の除去対象物質の除去効果が期待できる場合には、メインクリーン運転を行う必要性が低くなる。
【００１４】
そこで、本発明の第３観点に係る空気清浄機では、メインクリーン運転が行われた時と等しい除去対象物質の吸着ロータからの除去効果が期待できる場合には、メインクリーン運転が行われないようにすることで、一定時間毎にメインクリーン運転が行われる場合と比較して、ユーザの所望する運転の行われる時間が短くならないようにすることができる。
【００１５】
本発明の第４観点に係る空気清浄機は、第２観点又は第３観点の空気清浄機において、積算部は、メインクリーン運転が終了した時に、積算した積算時間をリセットする。このため、この空気清浄機では、積算時間が第１所定時間以上となる毎に、メインクリーン運転を行うことができる。
【００１６】
本発明の第５観点に係る空気清浄機は、第１観点から第４観点のいずれかの空気清浄機において、メインクリーン運転では、ヒータの駆動中は、吸着ロータの回転は停止されている。このため、メインクリーン運転時におけるヒータの出力が低くても、吸着ロータから除去対象物質が除去されるように、吸着ロータを加熱することができる。
【００１７】
本発明の第６観点に係る空気清浄機は、第１観点から第５観点のいずれかの空気清浄機において、メインクリーン運転では、ヒータが駆動される前、又は、駆動中のヒータの駆動が停止された後に、吸着ロータが所定角度だけ回転する。このため、メインクリーン運転が行われる毎に、ヒータによって加熱された空気の通る吸着ロータの部位を変更することができる。したがって、この空気清浄機では、メインクリーン運転が複数回行われることで、吸着ロータ全体から除去対象物質を除去することができる。
【００１８】
本発明の第７観点に係る空気清浄機は、第１観点から第６観点のいずれかの空気清浄機において、吸着ロータの回転軸に直交しており回転軸から延びる第１直線と第２直線とのなす角度を前記所定角度とした場合に、第１直線及び第２直線によって規定される吸着ロータの所定角度領域は、第１領域よりも小さい。このため、クリーン運転において、吸着ロータで、加熱された空気が通過しない部位が生じるおそれを減らすことができる。
【００１９】
これによって、吸着ロータから除去対象物質が除去されないおそれを低減することができる。
【００２０】
本発明の第８観点に係る空気清浄機は、第１観点から第７観点のいずれかの空気清浄機において、クリーン運転は、ヒータの駆動が停止され、再生ファンが駆動されるアフタークリーン運転を含む。また、制御部は、メインクリーン運転の終了後に、メインクリーン運転からアフタークリーン運転に運転を切り換える。
【００２１】
本発明の第８観点に係る空気清浄機では、メインクリーン運転の終了後に、アフタークリーン運転が行われる。このため、吸着ロータの第１領域を通過した空気の流れる流路の温度を下げることができる。したがって、例えば、前記流路が樹脂等で形成されている場合に、前記流路が熱変形するおそれを低減することができる。
【００２２】
本発明の第９観点に係る空気清浄機は、第１観点から第８観点のいずれかの空気清浄機において、クリーン運転以外の運転からメインクリーン運転に運転が切り換わった場合、メインクリーン運転では、メインファンの風量としてメインクリーン運転に切り換わる前の運転時の風量が維持されている。この空気清浄機では、メインクリーン運転が行われていても、メインファンの風量が変更されないため、メインクリーン運転が行われていることをユーザに認識させにくくすることができる。
【００２３】
本発明の第１０観点に係る空気清浄機は、第１観点から第９観点のいずれかの空気清浄機において、所定事項をユーザに報知可能な報知部を更に備える。また、制御部は、開始条件が満たされていると判断した場合には、メインクリーン運転を自動的に開始する。さらに、報知部は、メインクリーン運転に関する報知を行わない。このため、この空気清浄機では、メインクリーン運転が行われていることをユーザに認識させにくくすることができる。
【００２４】
本発明の第１１観点に係る空気清浄機は、第１観点から第１０観点のいずれかの空気清浄機において、ユーザからの運転内容の変更に関する運転変更指示を受け付ける第１受付部を更に備える。また、制御部は、メインクリーン運転を行っている間に第１受付部において運転変更指示が受け付けられた場合には、現在行っている運転から前記運転変更指示に基づく運転に運転内容を切り換え、かつ、メインクリーン運転を継続して行う。この空気清浄機では、メインクリーン運転中にユーザによって運転内容が変更されても、変更された運転とメインクリーン運転とが同時に行われるため、メインクリーン運転が行われていることをユーザに認識させにくくすることができる。
【００２５】
本発明の第１２観点に係る空気清浄機は、第１観点から第１１観点のいずれかの空気清浄機において、ユーザからの設定風量の変更に関する風量変更指示を受け付ける第２受付部を更に備える。また、制御部は、メインクリーン運転を行っている間に第２受付部において風量変更指示が受け付けられた場合には、現在の設定風量から風量変更指示に基づく風量に切り換えて、メインクリーン運転を継続して行う。この空気清浄機では、メインクリーン運転中にユーザによって設定風量が変更されても、変更された風量でメインクリーン運転が行われるため、メインクリーン運転が行われていることをユーザに認識させにくくすることができる。
【００２６】
本発明の第１３観点に係る空気清浄機は、第２観点の空気清浄機において、第１所定時間は、２４時間の約数を除く時間に設定されている。
【００２７】
１日を２４時間とした場合、例えば、第１所定時間が２４時間に設定されている場合には、ヒータが所定出力未満の出力で駆動され、かつ、メインファンが駆動される運転が２４時間継続されると、開始条件が満たされてメインクリーン運転が開始されることから、毎日同じ時間にメインクリーン運転が開始される可能性が生じる。
【００２８】
そこで、本発明の第１３観点に係る空気清浄機では、第１所定時間が２４時間の約数を除く時間に設定されているため、毎日同じ時間にメインクリーン運転が開始されるおそれを低減することができる。
【００２９】
これによって、メインクリーン運転が行われていることをユーザに認識させにくくすることができる。
【００３０】
本発明の第１４観点に係る空気清浄機は、第１観点から第１３観点のいずれかの空気清浄機において、メインクリーン運転では、ヒータが、除湿運転時の最大出力よりも低い出力で駆動される。この結果、例えば、メインクリーン運転時にヒータが除湿運転時の最大出力で駆動される場合と比較して、吸着ロータを通過する空気の温度を下げることができるため、吸着ロータの第１領域を通過した空気の流れる流路が樹脂等で形成されている場合に、前記流路が熱変形するおそれを低減することができる。
【００３１】
本発明の第１５観点に係る空気清浄機は、第２観点から第４観点のいずれかの空気清浄機において、積算部は、ヒータが所定出力以上の出力で駆動され、かつ、メインファンが駆動された駆動時間を更に積算する。また、判断部は、予め設定されている第３所定時間に駆動時間を加えた時間を、第１所定時間とみなして開始条件を判断する。このため、この空気清浄機では、一定時間毎にメインクリーン運転が行われる場合と比較して、ユーザの所望する運転の行われる時間が短くならないようにすることができる。
【００３２】
本発明の第１６観点に係る空気清浄機は、空気清浄部と、除湿部と、メインファンと、制御部と、を備えている。空気清浄部は、空気を清浄化する。除湿部は、吸着ロータと、ヒータと、再生ファンと、を有する。吸着ロータは、空気中の水分を吸着する。また、吸着ロータは、回転可能である。ヒータは、吸着ロータの第１領域を通過する空気を加熱することで、吸着ロータから水分を放出させる。再生ファンは、ヒータによって加熱された空気を、第１領域に流す。メインファンは、空気清浄部、及び、吸着ロータの第２領域に空気を流す。吸着ロータの第２領域とは、吸着ロータにおける第１領域とは別の領域である。制御部は、空気清浄運転と、除湿運転と、クリーン運転と、を行う。空気清浄運転とは、対象空間の空気を清浄化する運転である。除湿運転は、対象空間を除湿する運転である。クリーン運転は、吸着ロータに付着した物質を除去するための運転である。また、空気清浄運転、除湿運転、及び、クリーン運転では、メインファンが駆動されている。さらに、クリーン運転は、メインクリーン運転を含む。メインクリーン運転は、開始条件が満たされた場合に開始され、終了条件が満たされた場合に終了する運転である。また、メインクリーン運転では、ヒータが駆動されて第１領域を通過する空気が加熱され、かつ、吸着ロータが３６０度未満の所定角度だけ回転する。さらに、制御部は、先のメインクリーン運転と、先のメインクリーン運転が行われた後に行われるメインクリーン運転との間に、ユーザによって設定された運転が行われるように、先のメインクリーン運転の終了後に、先のメインクリーン運転の開始前に行われていた運転を行う。また、制御部は、クリーン運転において、メインクリーン運転を複数回行うことで、吸着ロータを３６０度以上回転させる。
【００３３】
本発明の第１６観点に係る空気清浄機では、メインクリーン運転では吸着ロータが３６０度未満の所定角度だけ回転し、メインクリーン運転の終了後にメインクリーン運転の開始前に行われていた運転が行われている。このため、例えば、メインクリーン運転において吸着ロータが同じ速度で３６０度回転される場合と比較して、１回のメインクリーン運転の実行時間を短くすることができる。この結果、ユーザの所望する運転の行われる時間が短くならないようにすることができる。さらに、クリーン運転ではメインクリーン運転が複数回行われることで吸着ロータが３６０度以上回転されるため、クリーン運転が１回行われることで、吸着ロータ全体から除去対象物質を除去することができる。
【００３４】
これによって、短時間のクリーン運転で、吸着ロータに除去対象物質が蓄積するおそれを低減することができる。
【００３５】
本発明の第１７観点に係る空気清浄機は、第１観点から第１６観点のいずれかの空気清浄機において、先のメインクリーン運転と、先のメインクリーン運転が行われた後に行われるメインクリーン運転との間に行われる運転には、除湿運転が含まれない。
【発明の効果】
【００３６】
本発明の第１観点に係る空気清浄機では、短時間のクリーン運転で、吸着ロータに除去対象物質が蓄積するおそれを低減することができる。
【００３７】
本発明の第２観点に係る空気清浄機では、吸着ロータが異常な温度になったり、吸着ロータから煙が発生したりするおそれを低減することができる。
【００３８】
本発明の第３観点に係る空気清浄機では、ユーザの所望する運転の行われる時間が短くならないようにすることができる。
【００３９】
本発明の第４観点に係る空気清浄機では、積算時間が第１所定時間以上となる毎に、メインクリーン運転を行うことができる。
【００４０】
本発明の第５観点に係る空気清浄機では、メインクリーン運転時におけるヒータの出力が低くても、吸着ロータから除去対象物質が除去されるように、吸着ロータを加熱することができる。
【００４１】
本発明の第６観点に係る空気清浄機では、メインクリーン運転が複数回行われることで、吸着ロータ全体から除去対象物質を除去することができる。
【００４２】
本発明の第７観点に係る空気清浄機では、吸着ロータから除去対象物質が除去されないおそれを低減することができる。
【００４３】
本発明の第８観点に係る空気清浄機では、吸着ロータの第１領域を通過した空気の流れる流路が樹脂等で形成されている場合に、前記流路が熱変形するおそれを低減することができる。
【００４４】
本発明の第９観点に係る空気清浄機では、メインクリーン運転が行われていることをユーザに認識させにくくすることができる。
【００４５】
本発明の第１０観点に係る空気清浄機では、メインクリーン運転が行われていることをユーザに認識させにくくすることができる。
【００４６】
本発明の第１１観点に係る空気清浄機では、メインクリーン運転が行われていることをユーザに認識させにくくすることができる。
【００４７】
本発明の第１２観点に係る空気清浄機では、メインクリーン運転が行われていることをユーザに認識させにくくすることができる。
【００４８】
本発明の第１３観点に係る空気清浄機では、メインクリーン運転が行われていることをユーザに認識させにくくすることができる。
【００４９】
本発明の第１４観点に係る空気清浄機では、吸着ロータの第１領域を通過した空気の流れる流路が樹脂等で形成されている場合に、前記流路が熱変形するおそれを低減することができる。
【００５０】
本発明の第１５観点に係る空気清浄機では、ユーザの所望する運転の行われる時間が短くならないようにすることができる。
【００５１】
本発明の第１６観点に係る空気清浄機では、短時間のクリーン運転で、吸着ロータに除去対象物質が蓄積するおそれを低減することができる。
【００５２】
本発明の第１７観点に係る空気清浄機では、先のメインクリーン運転と先のメインクリーン運転が行われた後に行われるメインクリーン運転との間に行われる運転には、除湿運転が含まれない。
【図面の簡単な説明】
【００５３】
【図１】本発明の一実施形態に係る空気清浄機の外観斜視図。
【図２】本発明の一実施形態に係る空気清浄機から空気清浄ユニットを取り外した状態の斜視図。
【図３】加湿ユニットの斜視図。
【図４】加湿ユニットの有する水車の分解斜視図。
【図５】除湿ユニットと加湿ユニットとが組み合わされた状態の斜視図。
【図６】除湿ユニットの斜視図。
【図７】除湿ユニットを正面側から視た図。
【図８】吸着ロータの第１領域と第２領域とを説明するための図。
【図９】空気清浄機の備える制御部の制御ブロック図。
【図１０】吸着ロータの第１領域と所定角度領域とを説明するための図。
【図１１】第１クリーン運転が行われる際の各構成部品の制御内容の一例を示す図。
【図１２】第２クリーン運転に含まれるバッチクリーン運転及びアフタークリーン運転が行われる際の各構成部品の制御内容の一例を示す図。
【図１３】第２クリーン運転に含まれるバッチクリーン運転及びアフタークリーン運転が行われる際の各構成部品の制御内容の一例を示す図。
【図１４】第２クリーン運転に含まれるバッチクリーン運転及びアフタークリーン運転が行われる際の各構成部品の制御内容の一例を示す図。
【図１５】第２クリーン運転に含まれるバッチクリーン運転及びアフタークリーン運転が行われる際の各構成部品の制御内容の一例を示す図。
【図１６】第１クリーン運転実行時の制御部による制御の流れを示すフローチャート。
【図１７】第２クリーン運転のバッチクリーン運転及びアフタークリーン運転実行時の制御部による制御の流れを示すフローチャート。
【発明を実施するための形態】
【００５４】
以下、図面を参照しながら、本発明の実施形態に係る空気清浄機１０について説明する。なお、以下の実施形態は、本発明の具体例であって、本発明の技術的範囲を限定するものではない。
【００５５】
（１）空気清浄機の構成
空気清浄機１０は、加湿機能、除湿機能及び空気清浄機能を有しており、加湿運転時は空気清浄機１０の設置されている対象空間（例えば、室内など）を加湿する加湿機として、除湿運転時は対象空間を除湿する除湿機として、空気清浄運転時は対象空間の空気を清浄化する空気清浄機として働く。また、本実施形態では、この空気清浄機１０は、単一機能だけでなく、同時に複数の機能を組み合わせて稼働させることができる。この複数の組み合わせとは、例えば、空気清浄機能と除湿機能との組み合わせ、或いは、空気清浄機能と加湿機能との組み合わせのことである。また、本実施形態の空気清浄機１０は、加湿機能を有しているが、これに限定されず、除湿機能及び空気清浄機能を有していれば加湿機能を有していなくてもよい。
【００５６】
空気清浄機１０は、本体ケーシング１１と、メインファン１２と、加湿ユニット３０と、除湿ユニット４０と、空気清浄ユニット２０と、制御部６０とを備えている（図１参照）。
【００５７】
本体ケーシング１１は、略直方体形状であり、メインファン１２、除湿ユニット４０、加湿ユニット３０、空気清浄ユニット２０および制御部６０等を収容している。また、本体ケーシング１１の最上面には、図１に示すように、空気清浄運転、除湿運転および加湿運転を選択する操作パネル８０が設けられており、この操作パネル８０は下方に位置する制御部６０と接続されている。操作パネル８０上には、運転入／切ボタン８１（図９参照）、運転切換ボタン８２（第１受付部に相当；図９参照）、風量設定ボタン８３（第２受付部に相当；図９参照）、しつど選択ボタン、コース選択ボタン、切タイマー選択ボタン、オートルーバボタン、おすすめボタン、クリーンボタン８４（図９参照）、及び、条件変更ボタン８５（図９参照）が設けられており、各ボタンを押すことによって、押されたボタンに対応した制御信号が制御部６０に入力される。例えば、運転入／切ボタン８１は、空気清浄機１０への電源供給をオン／オフするためのボタンであり、電源プラグをコンセントに差し込んだ後に押されると、空気清浄機１０の運転が開始され、再度押されると、空気清浄機１０の運転が停止される。また、運転切換ボタン８２は、運転モードを選択するボタンであり、「空気清浄」、「加湿」および「除湿」のいずれか１つを選択することができる。なお、ここでいう「加湿」とは、空気清浄をしながらの加湿運転であり、設定湿度に達すると、加湿運転を停止するが、空気清浄運転はそのまま行う。同様に、「除湿」とは、空気清浄をしながらの除湿運転であり、設定温度に達すると、除湿運転を停止するが、空気清浄運転はそのまま行う。
【００５８】
また、操作パネル８０は、ユーザに対して所定事項を報知するための表示部９０を有している。また、表示部９０は、給水ＬＥＤ９１と、満水ＬＥＤ９２と、お知らせＬＥＤ９３と、クリーン運転ＬＥＤ９４と、水交換ＬＥＤ９５と、を含む。給水ＬＥＤ９１は、後述する貯水容器３１内への水の補充が必要であることをユーザに報知するために点灯される。満水ＬＥＤ９２は、貯水容器３１内からの水の排出が必要であることをユーザに報知するために点灯される。お知らせＬＥＤ９３は、第１クリーン運転が必要であることをユーザに報知するために点灯される。クリーン運転ＬＥＤ９４は、第１クリーン運転、又は、第２クリーン運転のアフタークリーン運転を実行中であることをユーザに報知するために点灯される。さらに、水交換ＬＥＤ９５は、貯水容器３１内のドレン水の排出が推奨されることユーザに報知するために点灯される。なお、各ＬＥＤの点灯または消灯は、後述する制御部６０によって制御されている。
【００５９】
メインファン１２は、本体ケーシング１１に収容されたとき、空気清浄ユニット２０とは反対側に配置されている。また、この空気清浄機１０を空気清浄ユニット２０側から視たときに、各内部部品は、空気清浄ユニット２０、除湿ユニット４０、加湿ユニット３０、メインファン１２の順に並んでいる。このため、メインファン１２が稼働されると、空気清浄機１０が設置されている対象空間の空気が、空気清浄ユニット２０側から除湿ユニット４０および加湿ユニット３０を通過しメインファン１２に至る空気流Ａ１が形成される。なお、本実施形態では、メインファン１２は、空気清浄運転、加湿運転或いは除湿運転が開始されてから停止されるまで、設定風量で回転している。
【００６０】
なお、図１では、加湿ユニット３０の構成部品である、貯水容器３１、加湿ロータ３２および水車３３が加湿ユニット３０から引き出されているが、運転時には、加湿ユニット３０の所定位置に配置されている。
【００６１】
以下に、空気清浄機１０の備える空気清浄ユニット２０、加湿ユニット３０、除湿ユニット４０及び制御部６０について、詳細に説明する。
【００６２】
（２）空気清浄ユニットの構成
図２は、空気清浄機１０から空気清浄ユニット２０を取り外した斜視図である。
【００６３】
空気清浄ユニット２０は、空気清浄機１０の設置されている対象空間の空気を清浄化するためのユニットであって、図２に示すように、カバー２１と、フィルタ２２と、脱臭触媒２３とを有している。フィルタ２２と脱臭触媒２３とは、本体ケーシング１１に設けられた収納部２４に着脱可能に収納されており、脱臭触媒２３がフィルタ２２の空気流Ａ１下流側に位置する。
【００６４】
フィルタ２２内部には、空気流Ａ１上流側から順に、プレフィルタ、ホコリをプラスに帯電させるイオン化部、マイナスに帯電したプリーツフィルタ、が並んで配置されている。空気中のホコリは、プレフィルタで取り除かれ、プレフィルタで取りきれなかった小さなホコリは、イオン化部でプラスに帯電され、マイナスに帯電したプリーツフィルタに吸着される。脱臭触媒２３は、フィルタ２２を通過してきた空気からニオイや有害ガスを吸着し、分解する。
【００６５】
なお、本実施形態では、空気清浄ユニット２０の有するフィルタ２２が、イオン化部やプリーツフィルタを含んでいたり、脱臭触媒２３を有していたりするが、空気を清浄化する機能を有していれば、これに限定されない。例えば、空気清浄ユニット２０が、プレフィルタのみで構成されていてもよい。また、空気清浄ユニット２０が、ホコリセンサやニオイセンサ等を有していてもよい。
【００６６】
（３）加湿ユニットの構成
加湿ユニット３０は、運転時において、除湿ユニット４０の有する再生ファン４３の下方に重なるように配置されている。また、加湿ユニット３０は、図３に示すように、主に、貯水容器３１、加湿ロータ３２及び水車３３を有している。
【００６７】
（３−１）貯水容器
貯水容器３１は、空気流Ａ１を流れる空気に与える水分の水源であり、図１に示すように、本体ケーシング１１に着脱可能に収容されている。具体的には、本体ケーシング１１の有する引き出し式の第１扉１１ａが引き出されることによって、貯水容器３１は本体ケーシング１１の開口１１ｃから取り出される。さらに、図３に示すように、貯水容器３１の内側には上部が開いている軸受３１ａが設けられており、この軸受３１ａは後述する回転軸３７を回転可能に支持する。また、貯水容器３１は、図１に示すように、ドレンパン３１ｂを有している。
【００６８】
（３−２）加湿ロータ
加湿ロータ３２は、供給された水を気化させる部材であり、図３に示すように、水車３３に近接して配置されており、貯水容器３１の満水時の水位よりも上方に配置されている。また、加湿ロータ３２は、気化フィルタ３２ａと、第１歯車３２ｂとを有しており、回転可能である。
【００６９】
第１歯車３２ｂは、図３に示すように、気化フィルタ３２ａの外周縁に固定されており、駆動モータ３４の駆動によって回転する駆動歯車３４ａおよび第２歯車３４ｂと噛み合うことによって支持されている。また、駆動歯車３４ａおよび第２歯車３４ｂは、第１歯車３２ｂの回転軸よりも下方に位置し、加湿ロータ３２の鉛直中心線に対して互いに反対側に位置している。
【００７０】
（３−３）水車
水車３３は、図３および図４に示すように、車輪３５と、車輪カバー３６と、第２歯車３４ｂとを有しており、貯水容器３１の内側を回転可能である。
【００７１】
車輪３５には、図４に示すように、一方の側面から反対側の側面に向かって窪む複数の凹部３５ａが円を描くように形成されている。また、車輪３５には、この凹部３５ａの開口側を覆うように、車輪カバー３６が組み合わされる。なお、車輪カバー３６には、台形状の孔３６ａが、車輪３５の凹部３５ａと対向する位置に円を描くように形成されている。この台形状の孔３６ａの大きさは、凹部３５ａの開口の半分程度である。このため、車輪３５に車輪カバー３６が組み合わされたとき、凹部３５ａの開口は半分程度が開いた状態となる。第２歯車３４ｂは、加湿ロータ３２の第１歯車３２ｂと噛み合う歯車であり、回転中心には、車輪３５、車輪カバー３６および第２歯車３４ｂが共有する回転軸３７が設けられている。この回転軸３７を同軸として、第２歯車３４ｂ、車輪カバー３６、車輪３５が順に重ねて組み合わされている。なお、この回転軸３７は、上述のように、貯水容器３１の軸受３１ａに回転可能に支持されている。このため、貯水容器３１を本体ケーシング１１から引き出すことで、水車３３を貯水容器３１から取り出すことができる。なお、貯水容器３１の底面から軸受３１ａの軸心までの高さは、貯水容器３１に溜められている水が最低水位のときであっても、水車３３の最下位置にある凹部３５ａが水没するように設定されている。
【００７２】
また、図５は、除湿ユニット４０と、加湿ユニット３０とが組み合わされた状態の斜視図である。図５において、加湿ユニット３０は、除湿ユニット４０の再生ファン４３の下方に、重なるように配置されている。加湿ユニット３０の加湿ロータ３２は、除湿ユニット４０の吸着ロータ４１及び熱交換部４４と対向している。そして、水車３３は、加湿ロータ３２と熱交換部４４とで挟まれるように配置されている。
【００７３】
さらに、加湿ユニット３０では、駆動モータ３４が駆動することで、加湿ロータ３２および水車３３が回転する。水車３３が回転することによって、凹部３５ａは貯水容器３１の水中を順番に通過して上昇する。凹部３５ａが浸水すると台形状の孔３６ａから凹部３５ａの内部に水が入る。このため、凹部３５ａが水中から出てきたとき、凹部３５ａの内部は水で満たされている。そして、凹部３５ａが最上位置に近づくにしたがって、凹部３５ａ内部の水が台形状の孔３６ａから流出し、凹部３５ａが最上位置を通過したときに、ほぼ全ての水が流出する。このとき、水は、流出する際に重力によってある程度の勢いが付加されているので、凹部３５ａと近接している加湿ロータ３２の側面に向かって流出する。
【００７４】
（４）除湿ユニットの構成
除湿ユニット４０は、図６および図７に示すように、吸着ロータ４１、ヒータ４２、再生ファン４３、熱交換部４４、及び、吸着ロータ駆動部（図示せず）を有している。
【００７５】
（４−１）吸着ロータ
吸着ロータ４１は、ハニカム構造体であり、ゼオライト粉末、バインダーおよび膨張剤を混合して練り上げた多孔質の材料によって円板状に成形されている。ここでいうバインダーとしては、例えば、変性ＰＰＥ、ポリプロピレン、ポリスチレン、ＡＢＳ樹脂等の熱可塑性樹脂から選択されたものである。膨張剤は、ハニカム構造体の成形時に膨張することで、無数の気泡を形成させる。このため、吸着ロータ４１は、水分に対した高い吸着性を有している。また、吸着ロータ４１は、ヒータ４２に対向する第１領域４１ａと、第１領域４１ａ以外の第２領域４１ｂと、に区別することができる（図８参照）。メインファン１２によって形成される空気流Ａ１は、吸着ロータ４１においてヒータ４２及び後述する第２送風管４４ｂによって挟まれていない領域である第２領域４１ｂを通過する。また、吸着ロータ４１は回転可能であるため、吸着ロータ４１が回転することで、吸着ロータ４１において第１領域４１ａとなる部位と、吸着ロータ４１において第２領域４１ｂとなる部位とが変化する。
【００７６】
（４−２）ヒータ
ヒータ４２は、吸着ロータ４１の第１領域を通過する空気を加熱して吸着ロータ３１から水分を放出させるために、吸着ロータ４１の背面側の一部に対向して配置されている。なお、本実施形態では、ヒータ４２は、略扇形形状であって、吸着ロータ４１の背面側の６分の１程度を覆う位置に設けられている。
【００７７】
（４−３）再生ファン
再生ファン４３は、吸着ロータ４１の上方部分から背面側に向けて突出するような形状を有している。ヒータ４２と再生ファン４３とは空気の流通ができるように熱交換部４４の有する第１送風管４４ａによって連絡されている。再生ファン４３が稼働することで空気流が形成され、空気は第１送風管４４ａ内を図６の矢印で示す方向に流れる。そして、ヒータ４２近傍に流れてきた空気は、ヒータ４２で加熱されて高温空気となり、吸着ロータ４１の第１領域４１ａに流れる。
【００７８】
（４−４）熱交換部
熱交換部４４は、図６および図７に示すように、送風管と凝縮部４５とを有している。なお、熱交換部４４は、樹脂によって構成されている。
【００７９】
送風管は、第１送風管４４ａと、第２送風管４４ｂと、第３送風管４４ｃと、第４送風管４４ｄと、第５送風管４４ｅと、第６送風管４４ｆと、第７送風管４４ｇと、から構成される。ヒータ４２によって加熱された高温空気は、対向する吸着ロータ４１の背面側から吸着ロータ４１の厚み方向の正面側に向かって進み、吸着ロータ４１の正面側に流れる。ここで、図８に示すように、吸着ロータ４１のうち高温空気が通過する第１領域（吸着ロータ４１のうちヒータ４２の加熱可能部分が重なる領域）４１ａでは、吸着ロータ４１が高温空気によって暖められることで、保持していた水分が再生ファン４３による空気流れによって放出される。このため、吸着ロータ４１を背面側から前面側に向けて通過した空気は、吸着ロータ４１から放出された水分を含むことにより高温高湿空気となり、第２送風管４４ｂに進む。
【００８０】
第２送風管４４ｂは、正面視において略扇型形状を呈しており、吸着ロータ４１の一部を正面側から覆うように配置されている。また、第２送風管４４ｂは、上述したヒータ４２と共に吸着ロータ４１の同一部分を挟むような位置に設けられ、吸着ロータ４１の正面側の６分の１程度を覆っている。
【００８１】
第３送風管４４ｃは、第２送風管４４ｂと第４送風管４４ｄとの空気の流通ができるように、第２送風管４４ｂと第４送風管４４ｄとを連絡している。
【００８２】
第４送風管４４ｄは、第３送風管４４ｃと凝縮部４５との空気の流通ができるように、第３送風管４４ｃと凝縮部４５とを連絡している。具体的には、第４送風管４４ｄは、図７に示すように、吸着ロータ４１の厚さ方向に交差する方向（略水平方向）に延びており、吸着ロータ４１の下方に沿うように形成されている。また、第４送風管４４ｄの下部は、後述する複数の凝縮管４６と接続されている。なお、ここでいう「上下」および「左右」は、除湿ユニット４０を正面視した場合の「上下」および「左右」を意味している。
【００８３】
第５送風管４４ｅは、凝縮部４５と第６送風管４４ｆとの空気の流通ができるように、凝縮部４５と第６送風管４４ｆとを連絡している。具体的には、第５送風管４４ｅは、図７に示すように、第４送風管４４ｄと同様に吸着ロータ４１の厚さ方向に交差する方向（略水平方向）に延びており、第４送風管４４ｄの下方に第４送風管４４ｄと対向するように配置されている。また、第５送風管４４ｅの上部は、複数の凝縮管４６と接続されている。
【００８４】
第６送風管４４ｆは、第５送風管４４ｅと第７送風管４４ｇとの空気の流通ができるように、第５送風管４４ｅと第７送風管４４ｇとを連絡している。
【００８５】
第７送風管４４ｇは、第６送風管４４ｆと再生ファン４３とを連絡している。第６送風管４４ｆを通過してきた空気は、第７送風管４４ｇを通って再生ファン４３に吸い込まれる。
【００８６】
凝縮部４５は、図６および図７に示すように、第４送風管４４ｄと第５送風管４４ｅとを連絡しており、複数の凝縮管４６を有している。また、凝縮管４６は、第４送風管４４ｄから第５送風管４４ｅに鉛直方向に延びている。さらに、凝縮管４６同士は、所定の間隔をあけて配置されている。このため、第３送風管４４ｃを流れてきた高温高湿空気は、第４送風管４４ｄ内を、除湿ユニット４０の正面視において左側から右側（図６の矢印に示す方向）に向かって流れるとともに、複数の凝縮管４６に分配される。また、複数の凝縮管４６に分配された空気は、第５送風管４４ｅにおいて合流して第６送風管４４ｆ内に流れる。
【００８７】
また、凝縮管４６同士が所定の間隔をあけて配置されているため、凝縮部４５には、凝縮管４６同士の間に、空気流Ａ１が通過する空気通過部４６ａが形成されている。このような構成によって、熱交換部４４内部を流れる高温高湿空気は、凝縮部４５の凝縮管４６の内壁面に接触しながら流れる。このため、熱交換部４４外部を通過する空気は、凝縮管４６内部を流れる高温高湿空気との間で熱交換を行い、互いに混ざり合うことなく、凝縮管４６内部を流れる空気から熱量を奪う。したがって、凝縮管４６内壁面に接触した高温高湿の空気は冷却され、凝縮管４６の内壁面には結露が生じる。この結露水（以下、ドレン水という）は、凝縮管４６の下方に流れ、第５送風管４４ｅの下面に設けられている排水口４７を通って、ドレンパン３１ｂを介して貯水容器３１に流れ込む。また、凝縮部４５において熱交換された空気は、再生ファン４３に吸い込まれる。
【００８８】
（４−５）吸着ロータ駆動部
吸着ロータ駆動部は、ステッピングモータである駆動モータ４９（図９参照）と、駆動モータ４９によって回転されるピニオン歯車（図示せず）と、ピニオン歯車と噛み合う従動歯車（図示せず）と、を有している。また、従動歯車は、吸着ロータ４１の外周に配置されている。このため、駆動モータ４９が稼働すると、ピニオン歯車と噛み合っている従動歯車に動力が伝わり、吸着ロータ４１が回転する。そして、吸着ロータ４１は回転しながら、本体ケーシング１１に吸い込まれた空気が吸着ロータ４１の第２領域４１ｂを通過する。吸着ロータ４１は、この空気が吸着ロータ４１を通過する際に、通過しようとする空気中の水分を吸着して保持し、通過後の空気の水分を低減させる。そして、吸着ロータ４１が回転を続けることで、吸着ロータ４１のうち水分を保持している部分が、ヒータ４２と対向する位置にまで移動し、加熱される。これにより水分を保持していた吸着ロータ４１の一部は、保持していた水分をその場で放出し、ほとんど水分を保持していない状態となる。そして、吸着ロータ４１は、回転を続けることで、新たな外部空気と接触し、この新たな外部空気から水分を吸着して保持する。このようにして、吸着ロータ４１が回転することにより、水分の吸着と放出とを繰り返すことができる。
【００８９】
（５）制御部
制御部６０は、上述のように、操作パネル８０の下方に配置されており、操作パネル８０から入力される制御信号に基づいて、空気清浄運転、加湿運転、除湿運転、及び、クリーン運転が行われるように、各構成部品の駆動を制御する。また、制御部６０は、図９に示すように、空気清浄運転制御部６１と、除湿運転制御部６２と、加湿運転制御部６３と、クリーン運転制御部６４と、を備えている。
【００９０】
空気清浄運転制御部６１は、ユーザによって運転入／切ボタン８１が押され、運転切換ボタン８２が押されて「空気清浄」が選択された場合、設定風量となるようにメインファン１２を稼働させる。空気清浄運転制御部６１によってメインファン１２が稼働されることで、空気清浄機１０内部に取り込まれた空気が清浄化される空気清浄運転が実行される。また、空気清浄運転制御部６１は、風量設定ボタン８３が押された場合、設定された風量に切り換わるようにメインファン１２の駆動を制御する。
【００９１】
加湿運転制御部６３は、ユーザによって運転入／切ボタン８１が押され、運転切換ボタン８２が押されて「加湿」が選択された場合、設定風量となるようにメインファン１２を稼働させ、かつ、加湿ユニット３０の駆動モータ３４を稼働させる。加湿運転制御部６３によって、駆動モータ３４が稼働され、かつ、メインファン１２が稼働されることで、空気清浄機１０内部に取り込まれた空気が、回転しており、かつ水分を含んだ加湿ロータ３２を通過することで加湿される加湿運転が実行される。また、加湿運転制御部６３は、風量設定ボタン８３が押された場合、設定された風量に切り換わるようにメインファン１２の駆動を制御する。
【００９２】
除湿運転制御部６２は、ユーザによって運転入／切ボタン８１が押され、運転切換ボタン８２が押されて「除湿」が選択された場合、設定風量となるようにメインファン１２を稼働させ、かつ、除湿ユニット４０の駆動モータ４９、ヒータ４２および再生ファン４３を稼働させる。なお、本実施形態では、除湿運転制御部６２は、ヒータ４２を所定出力（例えば、５００Ｗ）で稼働させる。除湿運転制御部６２によって、駆動モータ４９、ヒータ４２および再生ファン４３が稼働され、かつ、メインファン１２が稼働されることで、空気清浄機１０内部に取り込まれた空気が、回転しており、かつ、水分が放出された吸着ロータ４１の第２領域４１ｂを通過することで除湿される除湿運転が実行される。また、除湿運転制御部６２は、風量設定ボタン８３が押された場合、設定された風量に切り換わるようにメインファン１２の駆動を制御する。
【００９３】
クリーン運転制御部６４は、メインファン１２、除湿ユニット４０の駆動モータ４９、ヒータ４２及び再生ファン４３を駆動を制御することで、クリーン運転を実行する。なお、クリーン運転は、除湿ユニット４０の吸着ロータ４１に付着した水以外の物質（例えば、有機物など）を除去するための運転であって、空気清浄運転、或いは、加湿運転中であっても、後述する第１開始条件或いは第２開始条件が満たされた場合には、優先して実行される。また、クリーン運転には、第１クリーン運転と第２クリーン運転（クリーン運転に相当）との２種類の運転がある。
【００９４】
第１クリーン運転には、ロータクリーン運転と、アフタークリーン運転とが含まれる。また、第１クリーン運転では、ロータクリーン運転、アフタークリーン運転の順に運転が切り換えられる。ロータクリーン運転を実行する場合、クリーン運転制御部６４は、ヒータ４２、駆動モータ４９及び再生ファン４３を除湿運転時と同様に稼働させ、かつ、設定可能な風量のうちの最大風量となるようにメインファン１２を稼働させる。すなわち、本実施形態では、ロータクリーン運転と、最大風量に設定された除湿運転とは、同様の運転となる。また、アフタークリーン運転を実行する場合、クリーン運転制御部６４は、ヒータ４２及び駆動モータ４９の稼働を停止し、再生ファン４３を除湿運転時と同様に稼働させ、かつ、ユーザによって設定されている設定風量となるようにメインファン１２を稼働させる。
【００９５】
第２クリーン運転には、バッチクリーン運転（メインクリーン運転に相当）と、アフタークリーン運転とが含まれる。また、第２クリーン運転では、バッチクリーン運転、アフタークリーン運転の順に運転が切り換えられる。バッチクリーン運転を実行する場合、現在駆動している機器をそのまま稼働させつつ、クリーン運転制御部６４は、ヒータ４２を、除湿運転及びロータクリーン運転時の所定出力よりも低い出力（例えば、１８０Ｗ）で稼働させ、再生ファン４３を除湿運転時と同様に稼働させ、かつ、ユーザによって設定されている設定風量及び設定モードとなるようにメインファン１２を稼働させる。なお、クリーン運転制御部６４は、バッチクリーン運転を開始すると同時にメインファン１２を稼働させるのではなく、バッチクリーン運転開始前の運転時に稼働しているメインファン１２を継続して稼働させる。また、クリーン運転制御部６４は、バッチクリーン運転において、後述する判断部６５によって第２終了条件が満たされていると判断された場合、再生ファン４３を除湿運転時と同様に稼働させ、かつ、ユーザによって設定されている設定風量となるようにメインファン１２を稼働させた状態で、ヒータ４２の稼働を停止し、駆動モータ４９を稼働することで吸着ロータ４１を３６０度未満の所定角度θだけ回転させる。このため、バッチクリーン運転において、ヒータ４２が稼働している場合、吸着ロータ４１の回転は停止している。なお、本実施形態では、図１０に示す吸着ロータ４１の所定角度領域４１ｃは、ヒータ４２が吸着ロータ４１を加熱することができる領域である第１領域４１ａよりも小さくなるように設計されている。また、ここでいう所定角度領域４１ｃとは、吸着ロータ４１の回転軸に直交する第１仮想直線（第１直線に相当）Ｌ１と第２仮想直線（第２直線に相当）Ｌ２とのなす角度を所定角度θとした場合に、第１仮想直線Ｌ１と第２仮想直線Ｌ２とによって規定される吸着ロータ４１の領域を意味している。なお、図１０では、第１領域４１ａと所定角度領域４１ｃとを比較するために、吸着ロータ４１においてヒータ４２によって覆われる領域である第１領域４１ａを、第１仮想直線Ｌ１と第３仮想直線Ｌ３とによって規定することで示している。また、第２クリーン運転におけるアフタークリーン運転は、第１クリーン運転におけるアフタークリーン運転と同様であるため、説明を省略する。さらに、本実施形態における第２クリーン運転は、バッチクリーン運転が複数回行われて、吸着ロータ４１が１回転（３６０度）以上回転することで、１回の第２クリーン運転が実行されたものとする。すなわち、本実施形態では、第２クリーン運転が１回行われることで、吸着ロータ４１が１回転以上回転する。また、本実施形態では、バッチクリーン運転実行中に、ユーザによって設定風量が変更された場合には、変更後の設定風量となるようにメインファン１２が稼働される。さらに、本実施形態では、バッチクリーン運転実行中に、ユーザによって運転内容が変更された場合（例えば、空気清浄運転から加湿運転に変更された場合や、加湿運転から空気清浄運転に変更された場合）には、変更された運転が行われるように、各構成機器が制御される。すなわち、本実施形態の��２クリーン運転は、ユーザによる設定風量及び運転内容の変更に従いつつ行われる。
【００９６】
また、クリーン運転制御部６４は、積算部６６と、判断部６５と、を有している。
【００９７】
積算部６６は、計測部６７と、演算部６８と、記憶部６９と、を含む。計測部６７は、ヒータ４２が所定出力以上の出力で稼働されずに、メインファン１２が稼働している運転実行時間を計測する。具体的には、計測部６７は、除湿運転及び第１クリーン運転のロータクリーン運転以外の運転である空気清浄運転及び加湿運転が実際に行われている運転実行時間を計測する。
【００９８】
演算部６８は、計測部６７によって計測された運転実行時間に、設定風量に応じた係数を乗じた補正運転時間を算出する。なお、設定風量に応じた係数は、風量の違いによる吸着ロータ４１の汚れ度合いの違いを考慮して重み付けをするために、シミュレーションや机上計算、実験等によって決定されており、予め記憶部６９に記憶されている。
【００９９】
記憶部６９は、計測された運転実行時間を積算していくことで、積算運転時間（積算時間に相当）を導出して記憶する。また、記憶部６９は、算出される補正運転時間を積算していくことで、積算補正運転時間を導出して記憶する。さらに、記憶部６９は、除湿運転が第８所定時間（第２所定時間に相当）以上継続して行われた場合、第１クリーン運転が行われた場合、或いは、第２クリーン運転のバッチクリーン運転が終了した場合にのみ、記憶している積算運転時間をリセットする。また、記憶部６９は、除湿運転が第９所定時間以上継続して行われた場合、或いは、第１クリーン運転が実行された場合にのみ、記憶している積算補正運転時間をリセットする。
【０１００】
判断部６５は、第１開始条件、及び、第２開始条件（開始条件に相当）が満たされているか否かを判断する。判断部６５は、記憶部６９に記憶されている積算補正運転時間が第１所定時間を超えた場合に、第１開始条件が満たされていると判断する。また、判断部６５は、記憶部６９に記憶されている積算運転時間が第２所定時間（第１所定時間に相当）を超えた場合に、第２開始条件が満たされていると判断する。なお、第２所定時間は、第１所定時間よりも短いものとする。
【０１０１】
ここで、予め設定されている第１所定時間は、吸着ロータ４１に付着した除去対象物質が発煙する付着量発煙閾値を実験的に求め、この付着量発煙閾値と、クリーン運転を行わない状態で空気清浄運転を行わせた場合の吸着ロータ４１への除去対象物質の付着量とに基づいて決定されている。また、第２所定時間は、１日を２４時間とした場合の２４時間の約数を除く時間に設定されている。すなわち、第２所定時間は、１，２，３，４，６，８，１２，２４時間を除く時間に設定されている。また、第２所定時間は、吸着ロータ４１に付着した除去対象物質のうち主に低沸点の物質が発熱する付着量発熱閾値を実験的に求め、クリーン運転を行わない状態で空気清浄運転を行わせた場合の吸着ロータ４１への除去対象物質の付着量が付着量発熱閾値に達しない時間に決定されている。なお、本実施形態では、ユーザは、条件変更ボタン８５を押すことで、第１開始条件を変更することができる。具体的には、ユーザによって条件変更ボタン８５が押されることで、第１所定時間の設定が変更される。また、本実施形態では、第１所定時間として予め設定されている時間よりも短時間となるように設定変更が可能であるものとする。
【０１０２】
また、判断部６５は、第１終了条件、及び、第２終了条件（終了条件に相当）が満たされているか否かを判断する。判断部６５は、ロータクリーン運転が開始されてから第３所定時間が経過した場合に、第１終了条件が満たされていると判断する。また、第２送風管４４ｂと第３送風管４４ｃとの接続部には、前記接続部内を流れる空気の温度を検出するための温度センサ４８が設けられている。判断部６５は、温度センサ４８から出力される検出温度値が第１所定値以上である状態が第４所定時間以上継続した場合、或いは、バッチクリーン運転が開始されてから第５所定時間が経過した場合に、第２終了条件が満たされていると判断する。
【０１０３】
ここで、空気清浄機１０の使用環境（環境温度や設定風量など）により、１回のバッチクリーン運転（ここでいう１回のバッチクリーン運転とは、バッチクリーン運転の開始から終了までを意味している）で、吸着ロータ４１にかけることのできる熱量に、違いが生じるという問題がある。そこで、発明者は、鋭意検討した結果、吸着ロータ４１にかけることのできる熱量が小さくても、吸着ロータ４１に熱をかける時間を長くすることで、使用環境に関係なく吸着ロータ４１から除去対象物質を除去することができることを見出した。そして、第４所定時間及び第５所定時間は、様々な設定風量の使用環境下でヒータ４２を低出力で稼働させて吸着ロータ４１に熱をかけた場合の、吸着ロータ４１からの除去対象物質（主に低沸点の物質）の除去率と、吸着ロータ４１に熱をかけた時間と、に基づいて、決定されている。また、バッチクリーン運転ではヒータ４２が除湿運転及びロータクリーン運転時の所定出力よりも低い出力（例えば、１８０Ｗ）で駆動されるため、第４所定時間及び第５所定時間を、除去対象物質のうちの低沸点の物質を吸着ロータ４１から除去する効果を期待することができる範囲で、できるだけ短時間に設定することで、バッチクリーン運転が行われても、熱交換部４４から大量のドレン水が排出されないようにすることができる。
【０１０４】
さらに、判断部６５は、アフタークリーン運転終了条件が満たされているか否かを判断する。判断部６５は、アフタークリーン運転が開始されてから温度センサ４８から出力される検出温度値が第２所定値以下である状態が第６所定時間以上継続した場合、或いは、アフタークリーン運転が開始されてから第７所定時間が経過した場合に、アフタークリーン運転終了条件が満たされていると判断する。
【０１０５】
また、クリーン運転制御部６４は、図１１に示すように、空気清浄運転又は加湿運転が実行されている時に判断部６５によって第１開始条件が満たされていると判断された場合、現在実行されている運転を停止させる。さらに、クリーン運転制御部６４は、判断部６５によって第１開始条件が満たされていると判断された場合、ブザーが鳴るようにスピーカー９６を制御するとともに、お知らせＬＥＤ９３が点灯或いは点滅するようにＬＥＤを制御する。そして、クリーン運転制御部６４は、ユーザによって運転入／切ボタン８１が押され、クリーンボタン８４が押された場合に、第１クリーン運転のロータクリーン運転を開始させる。また、クリーン運転制御部６４は、ロータクリーン運転を開始させると同時に、クリーン運転ＬＥＤ９４が点灯するようにＬＥＤを制御する。また、クリーン運転制御部６４は、判断部６５によって第１終了条件が満たされていると判断された場合に、ロータクリーン運転を自動的に終了させる。その後、クリーン運転制御部６４は、アフタークリーン運転を自動的に開始させ、判断部６５によってアフタークリーン運転終了条件が満たされていると判断された時に、アフタークリーン運転を終了させることで、第１クリーン運転を終了させる。また、クリーン運転制御部６４は、第１クリーン運転を終了させた後に、水交換ＬＥＤ９５が点灯するようにＬＥＤを制御する。
【０１０６】
なお、本実施形態では、アフタークリーン運転が実行されているときに判断部６５によって第１開始条件が満たされていると判断された場合、アフタークリーン運転の実行を停止せず、アフタークリーン運転の終了後に、ブザーが鳴るようにスピーカー９６が制御され、お知らせＬＥＤ９３が点灯或いは点滅するようにＬＥＤが制御されるものとする。
【０１０７】
また、クリーン運転制御部６４は、図１２及び図１３に示すように、空気清浄運転又は加湿運転が実行されている時に判断部６５によって第２開始条件が満たされていると判断された場合、現在実行されている運転を併用して、第２クリーン運転を実行する。具体的には、クリーン運転制御部６４は、空気清浄運転又は加湿運転が実行されている時に判定部によって第２開始条件が満たされていると判断された場合には、空気清浄運転制御部６１又は加湿運転制御部６３に、運転停止に関する制御信号を送信せずに、バッチクリーン運転を自動的に開始させる。言い換えると、第２クリーン運転は、ユーザによって操作パネル８０のボタンが押されずに開始される運転である。さらに、クリーン運転制御部６４は、バッチクリーン運転の実行時、スピーカー９６や各ＬＥＤ等を制御しない。すなわち、バッチクリーン運転中であっても、バッチクリーン運転が実行されていることがユーザに報知されない。また、クリーン運転制御部６４は、判断部６５によって第２終了条件が満たされていると判断された場合に、バッチクリーン運転を自動的に終了させる。その後、クリーン運転制御部６４は、アフタークリーン運転を自動的に開始させ、判断部６５によってアフタークリーン運転終了条件が満たされていると判断された時に、アフタークリーン運転を終了させる。
【０１０８】
また、クリーン運転制御部６４は、図１４に示すように、判断部６５によって第２終了条件が満たされていると判断される前に、運転が停止された場合、バッチクリーン運転を終了させ、アフタークリーン運転を行う。さらに、クリーン運転制御部６４は、図１５に示すように、判断部６５によって第２終了条件が満たされていると判断される前に、温度センサ４８から出力される検出温度値が第３所定値以上となった場合には、異常温度であると判定し、強制的にバッチクリーン運転を終了させ、アフタークリーン運転を行う。
【０１０９】
（６）制御部による制御動作
次に、空気清浄機１０のクリーン運転時の制御部６０の制御動作について、図１６及び図１７を用いて説明する。なお、図１６は、第１クリーン運転に関する制御部６０の制御動作を示しており、図１７は、第２クリーン運転に関する制御部６０の制御動作を示している。
【０１１０】
（６−１）第１クリーン運転
ユーザによって運転入／切ボタン８１が押され、運転切換ボタン８２が押されて「空気清浄」が選択されることで、空気清浄運転の運転開始に関する制御信号が入力された場合（ステップＳ１）、空気清浄運転制御部６１によって、設定風量となるようにメインファン１２が稼働される。これにより、空気清浄運転が開始される。また、ユーザによって運転入／切ボタン８１が押され、運転切換ボタン８２が押されて「加湿」が選択されることで、加湿運転の運転開始に関する制御信号が入力された場合（ステップＳ１）、加湿運転制御部６３によって、設定風量となるようにメインファン１２が稼働され、かつ、加湿ユニット３０の駆動モータ３４が稼働される。
【０１１１】
そして、空気清浄機１０において空気調和運転或いは加湿運転が実行されている間に、判断部６５によって第１開始条件が満たされているか否かが判断される（ステップＳ２）。このとき、判断部６５によって第１開始条件が満たされていると判断される前に、運転停止に関する制御信号が入力された場合（ステップＳ３）、制御部６０は、稼働しているメインファン１２又はメインファン１２及び駆動モータ３４の稼働を停止して、現在実行している空気清浄運転、或いは、加湿運転を終了させる（ステップＳ４）。このとき、記憶部６９は、積算補正運転時間及び積算運転時間を導出して記憶する（ステップＳ４）。
【０１１２】
一方、運転停止に関する制御信号が入力される前に、判断部６５によって第１開始条件が満たされたと判断された場合、クリーン運転制御部６４は、第１クリーン運転が必要であると認定し、稼働しているメインファン１２又はメインファン１２及び駆動モータ３４の稼働を停止して、現在実行している空気清浄運転、或いは、加湿運転を自動的に終了させる（ステップＳ５）。また、判断部６５によって第１開始条件が満たされたと判断された場合、スピーカー９６、お知らせＬＥＤ９３に対して報知に関する制御信号を送信する（ステップＳ５）。この結果、スピーカー９６からブザー音が鳴り、かつ、お知らせＬＥＤ９３が点灯或いは点滅する。
【０１１３】
その後、ユーザによって運転入／切ボタン８１が押され、クリーンボタン８４が押されることで、第１クリーン運転の運転開始に関する制御信号が入力された場合（ステップＳ６）、クリーン運転制御部６４によって、ヒータ４２、駆動モータ４９、再生ファン４３及びメインファン１２が稼働されることで、ロータクリーン運転が開始される（ステップＳ７）。なお、判断部６５によって第１開始条件が満たされたと判断された場合、制御部６０は、第１クリーン運転以外の運転（空気清浄運転、除湿運転、及び、加湿運転）が禁止されるように、空気清浄運転制御部６１、加湿運転制御部６３、及び、除湿運転制御部６２を制御する（ステップＳ８）。例えば、ステップＳ５において、現在実行している空気清浄運転、或いは、加湿運転を自動的に終了させた後に、ユーザによって運転入／切ボタン８１が押され、運転切換ボタン８２が押されて「空気清浄」が選択されることで、空気清浄運転の運転開始に関する制御信号が入力された場合であっても、空気清浄運転制御部６１は、空気清浄運転を開始させない。また、本実施形態では、制御部６０は、判断部６５によって第１開始条件が満たされたと判断された場合、運転停止に関する制御信号以外の入力を受け付けないものとする。
【０１１４】
ステップＳ７においてロータクリーン運転が開始され、ロータクリーン運転が実行されている間、判断部６５によって、第１終了条件が満たされているか否かが判断される（ステップＳ９）。ステップＳ９において、判断部６５によって第１終了条件が満たされていると判断される前に、運転停止に関する制御信号が入力された場合（ステップＳ１０）、クリーン運転制御部６４は、ロータクリーン運転を終了させ、アフタークリーン運転を開始させる（ステップＳ１１）。具体的には、クリーン運転制御部６４は、ヒータ４２及び駆動モータ４９の稼働を停止し、再生ファン４３及びメインファン１２を継続して稼働させることで、ロータクリーン運転からアフタークリーン運転に運転内容を切り換える。その後、判断部６５によってアフタークリーン運転終了条件が満たされていると判断された場合に、クリーン運転制御部６４は、再生ファン４３及びメインファン１２の稼働を停止することで、アフタークリーン運転を終了させる。なお、このとき、記憶部６９に記憶されている積算補正運転時間はリセットされない。
【０１１５】
一方、ステップＳ９において、運転停止に関する制御信号が入力される前に、判断部６５によって第１終了条件が満たされていると判断された場合、クリーン運転制御部６４は、ロータクリーン運転を終了させ、アフタークリーン運転を開始させる（ステップＳ１２）。具体的には、クリーン運転制御部６４は、ヒータ４２及び駆動モータ４９の稼働を停止させ、再生ファン４３及びメインファン１２を継続して稼働させることで、ロータクリーン運転からアフタークリーン運転に運転内容を切り換える。その後、判断部６５によってアフタークリーン運転終了条件が満たされていると判断された場合（ステップＳ１３）、クリーン運転制御部６４は、再生ファン４３及びメインファン１２の稼働を停止することで、アフタークリーン運転を終了させる。また、ステップＳ９において、判断部６５によって第１終了条件を満たしたと判断されてロータクリーン運転を終了させた場合、クリーン運転制御部６４は、記憶部６９に記憶されている積算補正運転時間をリセットする（ステップＳ１４）。さらに、クリーン運転制御部６４は、判断部６５によって第１終了条件が満たされていると判断されてロータクリーン運転を終了させた場合、水交換ＬＥＤ９５に報知に関する制御信号を送信する（ステップＳ１４）。この結果、水交換ＬＥＤ９５が点灯する。
【０１１６】
（６−２）第２クリーン運転のバッチクリーン運転及びアフタークリーン運転
ユーザによって運転入／切ボタン８１が押され、運転切換ボタン８２が押されて「空気清浄」が選択されることで、空気清浄運転の運転開始に関する制御信号が入力された場合（ステップＳ２１）、空気清浄運転制御部６１によって、設定風量となるようにメインファン１２が稼働される。これにより、空気清浄運転が開始される。また、ユーザによって運転入／切ボタン８１が押され、運転切換ボタン８２が押されて「加湿」が選択されることで、加湿運転の運転開始に関する制御信号が入力された場合（ステップＳ２１）、加湿運転制御部６３によって、設定風量となるようにメインファン１２が稼働され、かつ、加湿ユニット３０の駆動モータ３４が稼働される。
【０１１７】
そして、空気清浄機１０において空気調和運転或いは加湿運転が実行されている間に、判断部６５によって第２開始条件が満たされているか否かが判断される（ステップＳ２２）。このとき、判断部６５によって第２開始条件が満たされていると判断される前に、運転停止に関する制御信号が入力された場合（ステップＳ２３）、クリーン運転制御部６４は、稼働しているメインファン１２又はメインファン１２及び駆動モータ３４の稼働を停止して、現在実行している空気清浄運転、或いは、加湿運転を終了させる（ステップＳ２４）。このとき、記憶部６９は、積算補正運転時間及び積算運転時間を導出して記憶する（ステップＳ２４）。
【０１１８】
一方、運転停止に関する制御信号が入力される前に、判断部６５によって第２開始条件が満たされたと判断された場合、クリーン運転制御部６４は、第２クリーン運転のバッチクリーン運転が必要であると認定し、ヒータ４２、再生ファン４３及びメインファン１２を稼働することで、バッチクリーン運転を自動的に開始させる（ステップＳ２５）。なお、ステップＳ２２において、判断部６５によって第２開始条件が満たされていると判断された場合、制御部６０は、現在実行している空気清浄運転、或いは、加湿運転を終了させる制御は行われない。この結果、バッチクリーン運転と、空気清浄運転、或いは、加湿運転とは、同時に行われる。また、本実施形態では、判断部６５によって第２開始条件が満たされたと判断された場合であっても、制御部６０は、空気清浄運転、除湿運転、及び、加湿運転の運転が禁止されるように制御しない。さらに、本実施形態では、制御部６０は、バッチクリーン運転実行中であっても、操作パネル８０からの制御信号の入力を受け付ける。このため、例えば、風量設定ボタン８３が押された場合、クリーン運転制御部６４は、設定された風量に切り換わるようにメインファン１２の駆動を制御する。さらに、判断部６５によって第２開始条件が満たされたと判断された場合、スピーカー９６やお知らせＬＥＤ９３等に対して報知に関する制御信号は送信されない。この結果、バッチクリーン運転が開始されたこと、及び、バッチクリーン運転が実行されていることは、報知されない。
【０１１９】
ステップＳ２５においてバッチクリーン運転が開始され、バッチクリーン運転が実行されている間、判断部６５によって、第２終了条件が満たされているか否かが判断される（ステップＳ２６）。ステップＳ２６において、判断部６５によって第２終了条件が満たされていると判断される前に、運転停止に関する制御信号が入力された場合（ステップＳ２７）、クリーン運転制御部６４は、バッチクリーン運転を終了させ、アフタークリーン運転を開始させる（ステップＳ２８）。具体的には、クリーン運転制御部６４は、ヒータ４２の稼働を停止し、再生ファン４３及びメインファン１２を継続して稼働させることで、バッチクリーン運転からアフタークリーン運転に運転内容を切り換える。その後、判断部６５によってアフタークリーン運転終了条件が満たされていると判断された場合（ステップＳ２９）に、クリーン運転制御部６４は、再生ファン４３及びメインファン１２の稼働を停止することで、アフタークリーン運転を終了させる（ステップＳ３０）。なお、このとき、記憶部６９に記憶されている積算運転時間はリセットされない。
【０１２０】
一方、ステップＳ２６において、運転停止に関する制御信号が入力される前に、判断部６５によって第２終了条件が満たされていると判断された場合、クリーン運転制御部６４は、吸着ロータ４１を所定角度θだけ回転させてバッチクリーン運転を終了させ、アフタークリーン運転を開始させる（ステップＳ３１）。具体的には、クリーン運転制御部６４は、ヒータ４２の稼働を停止し、駆動モータ４９の稼働を開始し、再生ファン４３及びメインファン１２を継続して稼働させることで、吸着ロータ４１を所定角度θだけ回転させてバッチクリーン運転を終了させる。続いて、クリーン運転制御部６４は、駆動モータ４９の稼働を停止させ、再生ファン４３及びメインファン１２を継続して稼働させることで、バッチクリーン運転からアフタークリーン運転に運転内容を切り換える。その後、判断部６５によってアフタークリーン運転終了条件が満たされていると判断された場合（ステップＳ３２）に、クリーン運転制御部６４は、再生ファン４３の稼働を停止することで、アフタークリーン運転を終了させる（ステップＳ３３）。なお、ステップＳ３３において、クリーン運転制御部６４はメインファン１２の稼働を停止しないため、バッチクリーン運転が行われる前に行われていた運転（ここでは、加湿運転、又は、空気清浄運転）に運転内容が切り換わる。また、ステップＳ２６において、判断部６５によって第２終了条件を満たしたと判断されてバッチクリーン運転を終了させた場合、クリーン運転制御部６４は、記憶部６９に記憶されている積算運転時間をリセットする（ステップＳ３３）。
【０１２１】
（７）特徴
（７−１）
デシカント式の除湿部を備える空気清浄機では、ヒータが所定出力以上の出力で使用されない運転が長期間行われることで、（例えば、空気清浄機能のみが長期間使用されることで、）空気清浄ユニットで取り除くことができなかった物質（特に有機物）が吸着ロータに蓄積することがあり、このような物質が蓄積した状態の吸着ロータがヒータで加熱されると、吸着ロータに蓄積した物質が熱せられることで吸着ロータが異常な温度になったり、吸着ロータに大量の付着物が蓄積することで吸着ロータから煙が発生したりするという問題が生じることがある。
【０１２２】
そこで、本実施形態では、バッチクリーン運転において、ヒータ４２を除湿運転及びロータクリーン運転時の所定出力よりも低い出力（例えば、１８０Ｗ）で稼働されている。このため、吸着ロータ４１が停止していても、吸着ロータ４１が高温になり過ぎるおそれを低減することができる。また、バッチクリーン運転では、吸着ロータ４１が３６０度未満の所定角度θだけ回転される。このため、例えば、バッチクリーン運転において吸着ロータが同じ速度で３６０度回転される場合と比較して、１回のバッチクリーン運転の実行時間を短くすることができる。さらに、バッチクリーン運転の終了後は、バッチクリーン運転の開始前に行われていた運転（空気清浄運転、又は、加湿運転）が行われるため、ユーザの所望する運転の行われる時間が短くならないようにすることができる。また、バッチクリーン運転が複数回行われて吸着ロータ４１が１回転（３６０度）以上回転することで、吸着ロータ全体から水以外の除去対象物質を除去することができる。
【０１２３】
これによって、除湿機能の低下を低減することができ、かつ、短時間のクリーン運転で、吸着ロータ４１に除去対象物質が蓄積するおそれを低減することができている。
【０１２４】
また、バッチクリーン運転では、ヒータ４２が、除湿運転時の最大出力よりも低い出力で駆動される。この結果、例えば、バッチクリーン運転時にヒータが除湿運転時の最大出力で駆動される場合と比較して、吸着ロータ４１を通過する空気の温度を下げることができるため、吸着ロータ４１の第１領域４１ａを通過した空気の流れる熱交換部４４の温度が上昇し過ぎないようにすることができる。したがって、送風管が熱変形するおそれを低減することができている。
【０１２５】
（７−２）
吸着ロータ４１に付着する除去対象物質には、吸着ロータ４１に熱を短い時間かけることで除去可能な低沸点の物質と、吸着ロータ４１に熱を長時間かけなければ除去できない物質とがある。本実施形態では、積算運転時間が第２所定時間を超えた場合に、第２開始条件が満たされていると判断されている。このため、第２所定時間が２１時間であるなど、短い時間に設定されている場合には、バッチクリーン運転をこまめに行うことができる。この結果、除去対象物質のうち特に低沸点の有機物（例えば、ジオキサン、アセトアルデヒド、トルエンなど）が吸着ロータ４１に蓄積する前に、吸着ロータ４１から除去することができる。このように、短い期間の間隔で吸着ロータ４１に熱をかけることで、発火点が低く、かつ、吸着ロータ４１への付着量が一定量以上となることで発熱する低沸点の物質を、吸着ロータ４１への付着量が少ないときに吸着ロータ４１から脱離させることができる。したがって、除去対象物質のうち短時間で除去可能な低沸点の物質を早期に除去することで、吸着ロータ４１の発煙及び発熱の危険性を下げることができる。
【０１２６】
（７−３）
本実施形態では、除湿運転が第８所定時間以上継続して行われた場合、第１クリーン運転が行われた場合、或いは、第２クリーン運転のバッチクリーン運転が終了した場合にのみ、記憶部６９に記憶されている積算運転時間がリセットされる。除湿運転が第８所定時間以上継続して行われた場合、又は、第１クリーン運転が行われた場合、すなわち、除去対象物質が吸着ロータ４１から除去されたことが期待される場合には、記憶部６９に記憶されている積算運転時間がリセットされることで、第２開始条件が満たされないようにし、結果として、バッチクリーン運転が開始されないようにすることができる。これにより、一定時間毎にバッチクリーン運転が行われる場合と比較して、ユーザの所望する運転の行われる時間が短くならないようにすることができている。
【０１２７】
また、バッチクリーン運転が終了することで、記憶部６９に記憶されている積算運転時間がリセットされる。このため、第２終了条件が満たされて積算運転時間がリセットされてから第２開始条件が満たされるまでに、除湿運転又は第１クリーン運転が行われなかった場合には、積算運転時間が第２所定時間以上となることで第２開始条件が満たされ、この結果、バッチクリーン運転が開始される。これにより、除去対象物質が吸着ロータ４１から除去されたことが期待されない場合には、除去対象物質を吸着ロータ４１から除去する運転を自動的に開始することができる。
【０１２８】
（７−４）
本実施形態では、バッチクリーン運転において、ヒータ４２が稼働している場合、吸着ロータ４１の回転は停止している。このため、ヒータ４２の出力が除湿運転及びロータクリーン運転時の所定出力よりも低くても、吸着ロータ４１から除去対象物質のうち特に低沸点の物質を除去可能な程度まで吸着ロータ４１を加熱することができている。
【０１２９】
また、本実施形態のバッチクリーン運転では、ヒータ４２が稼働している場合吸着ロータ４１の回転は停止しているため、ヒータ４２を除湿運転及びロータクリーン運転時の所定出力よりも低い出力（例えば、１８０Ｗ）で駆動することで、熱交換部４４の温度が上昇し過ぎないようにすることができる。
【０１３０】
（７−５）
本実施形態では、バッチクリーン運転において、駆動しているヒータ４２の駆動が停止された後に、吸着ロータ４１が３６０度未満の所定角度θだけ回転される。このため、バッチクリーン運転が行われる毎に、ヒータ４２によって加熱された空気の通る吸着ロータ４１の部位を変更することができる。すなわち、次回のバッチクリーン運転では、今回のバッチクリーン運転で吸着ロータ４１が所定角度θだけ回転されたときにヒータ４２に対向している吸着ロータ４１の領域（第１領域）が加熱される。したがって、バッチクリーン運転が複数回行われることで、吸着ロータ４１全体から除去対象物質を除去することができる。
【０１３１】
（７−６）
本実施形態では、吸着ロータ４１の所定角度領域４１ｃは、ヒータ４２の吸着ロータ４１加熱可能領域に相当する第１領域４１ａよりも小さくなるように設計されている。このため、バッチクリーン運転において、吸着ロータ４１で、加熱された空気が通過しない部位が生じるおそれを低減することができる。すなわち、吸着ロータ４１全体における加熱ムラの生じるおそれを低減することができる。
【０１３２】
これによって、吸着ロータ４１全体から除去対象物質を除去することができている。
【０１３３】
（７−７）
本実施形態では、バッチクリーン運転の後に、アフタークリーン運転が行われる。このため、吸着ロータ４１の第１領域４１ａを通過した空気の流れる送風管の温度を下げることができる。したがって、送風管が熱変形するおそれを低減することができている。
【０１３４】
（７−８）
本実施形態では、バッチクリーン運転を実行する場合、ユーザによって設定されている設定風量となるようにメインファン１２を稼働させる。また、メインファン１２が稼働されると、空気清浄機１０が設置されている対象空間の空気は、空気清浄ユニット２０や加湿ユニット３０を必ず通過するため、バッチクリーン運転実行時であっても、空気清浄ユニット２０における空気の清浄化が行われ、さらに、加湿ユニット３０の駆動時には加湿ユニット３０における加湿が行われる。このため、バッチクリーン運転が行われていることを、ユーザに認識させにくくすることができる。
【０１３５】
また、本実施形態では、バッチクリーン運転実行中に、ユーザによって設定風量が変更された場合には、変更後の設定風量となるようにメインファン１２が稼働される。さらにバッチクリーン運転実行中に、ユーザによって運転内容が変更された場合（例えば、空気清浄運転から加湿運転に変更された場合や、加湿運転から空気清浄運転に変更された場合）には、変更された運転が行われるように、各構成機器が制御される。このため、バッチクリーン運転が行われていることをユーザに認識させにくくすることができる。
【０１３６】
（７−９）
本実施形態では、空気清浄運転又は加湿運転が実行されている時に判定部によって第２開始条件が満たされていると判断された場合には、バッチクリーン運転を自動的に開始される。また、バッチクリーン運転の開始時、及び、実行中に、スピーカー９６や各ＬＥＤ等が制御されないため、バッチクリーン運転が行われていることがユーザに報知されない。このため、バッチクリーン運転が行われていることを、ユーザに認識させにくくすることができる。
【０１３７】
（７−１０）
本実施形態では、バッチクリーン運転が終了する前に、空気清浄機１０の運転を停止された場合には、記憶部６９に記憶されている積算運転時間はリセットされない。このため、運転が再開された時には、第２開始条件を満たしているため、バッチクリーン運転を最初から開始させることができる。また、バッチクリーン運転の実行中に空気清浄機１０の運転内容が、除湿運転及び第１クリーン運転以外の運転内容の範囲で切り換えられた場合（例えば、空気清浄運転中に加湿運転に切り換えられたり、加湿運転中に空気清浄運転に切り換えられたりした場合）であっても、第２終了条件が満たされるまでは、バッチクリーン運転を継続して行うことができる。このため、吸着ロータ４１から除去対象物質が除去されないおそれを低減することができる。
【０１３８】
（７−１１）
本実施形態では、クリーン運転には、第１クリーン運転と第２クリーン運転とが含まれる。また、空気清浄運転又は加湿運転が実行されている時に判断部６５によって第１開始条件が満たされていると判断された場合、すなわち、除湿機能を一定期間使用していない場合には、第１クリーン運転が強制的に実行されることで、吸着ロータ４１に付着した除去対象物質を除去することができる。これにより、吸着ロータ４１の機能保持をすることができる。さらに、本実施形態では、空気清浄運転又は加湿運転が実行されている時に判断部６５によって第１開始条件が満たされていると判断された場合、現在実行されている運転が停止される。このため、吸着ロータ４１が異常な温度になったり、吸着ロータから煙が発生したりする前に、現在行われている運転を停止させることができる。この結果、ユーザに第１クリーン運転の実行を促すことができるため、第１クリーン運転が実行されないおそれを低減することができる。また、運転が停止された後に、第１クリーン運転が実行されることで、吸着ロータ４１に付着した除去対象物質を除去することができる。
【０１３９】
これによって、第１クリーン運転が実行されないおそれを低減することで、吸着ロータ４１に除去対象物質が蓄積するおそれを低減することができている。
【０１４０】
（７−１２）
本実施形態では、判断部６５によって第１開始条件が満たされたと判断された場合、第１クリーン運転以外の運転（空気清浄運転、除湿運転、及び、加湿運転）が禁止される。このため、第１開始条件が満たされている状態であるにもかかわらず、第１クリーン運転が行われずに、他の運転が行われないようにすることができる。
【０１４１】
これによって、第１クリーン運転が行われないおそれを低減することができている。
【０１４２】
また、本実施形態では、第１クリーン運転が行われている状態で、判断部６５によって第１終了条件が満たされていると判断される前に、運転が停止された場合には、記憶部６９に記憶されている積算補正運転時間はリセットされない。このため、運転が再開された時には、第１開始条件を満たしているため、スピーカー９６からブザー音が鳴り、かつ、お知らせＬＥＤ９３が点灯或いは点滅する。したがって、第１クリーン運転を最初から行うように、ユーザに第１クリーン運転の実行を促すことができる。このため、吸着ロータ４１から除去対象物質が除去されないおそれを低減することができる。
【０１４３】
（７−１３）
本実施形態では、第２所定時間が、１日を２４時間とした場合の２４時間の約数を除く時間に設定されている。このため、例えば、第２所定時間が２４時間に設定されている場合には、ヒータが所定出力未満の出力で駆動され、かつ、メインファンが駆動される運転が２４時間継続されると、第２開始条件が満たされてバッチクリーン運転が開始されることから、毎日同じ時間にバッチクリーン運転が開始される可能性が生じる。そこで、本実施形態では、第２所定時間が２４時間の約数を除く時間に設定されているため、毎日同じ時間にメインクリーン運転が開始されるおそれを低減することができる。
【０１４４】
これによって、メインクリーン運転が行われていることをユーザに認識させにくくすることができる。
【０１４５】
（８）変形例
（８−１）変形例Ａ
上記実施形態では、除湿運転時のヒータ４２の出力は、所定出力と一定であるが、これに限定されず、例えば、除湿運転時のヒータ４２の出力が段階的に設定されていてもよい。この場合、除湿運転が行われても、ヒータ４２の出力が所定出力以下である場合には、計測部６７によって運転実行時間が計測され、記憶部６９に積算運転時間が記憶される。この結果、除湿運転が行われても、除去対象物質が吸着ロータ４１から除去されたことが期待されない場合には、バッチクリーン運転が行われるため、吸着ロータ４１が異常な温度になるおそれを低減することができる。
【０１４６】
（８−２）変形例Ｂ
上記実施形態では、バッチクリーン運転において、駆動しているヒータ４２の駆動が停止された後に、吸着ロータ４１が３６０度未満の所定角度θだけ回転されている。これに代えて、バッチクリーン運転が行われる毎にヒータ４２によって加熱された空気の通る吸着ロータ４１の部位が変更されるのであれば、バッチクリーン運転において、ヒータ４２の駆動が開始される前に、吸着ロータ４１が３６０度未満の所定角度θだけ回転されてもよい。
【０１４７】
（８−３）変形例Ｃ
上記実施形態では、第２開始条件が満たされているか否かを判断するための第２所定時間は、デフォルト値として記憶部６９に記憶されている。
【０１４８】
これに代えて、計測部６７によってヒータ４２が所定出力以上の出力で稼働され、かつ、メインファン１２が稼働している駆動時間が更に計測される場合には、判断部６５は、予め設定され記憶部６９に記憶されている第１０所定時間（第３所定時間に相当）に、計測部６７が計測した駆動時間を加えた時間を、第２所定時間とみなして、第２開始条件が満たされているか否かを判断してもよい。これにより、積算運転時間が一定時間となる毎にメインクリーン運転が行われる場合と比較して、ユーザの所望する運転の行われる時間が短くならないようにすることができる。
【産業上の利用可能性】
【０１４９】
本発明は、除湿機能の低下を低減することができ、かつ、短時間の動作で、吸着ロータに除去対象物質が蓄積するおそれを低減することができるため、吸着ロータにより除湿を行う除湿機能を有する空気清浄機への適用が有効である。
【符号の説明】
【０１５０】
１０      空気清浄機
１２      メインファン
２０      空気清浄ユニット（空気清浄部）
４０      除湿ユニット（除湿部）
４１      吸着ロータ
４１ａ    第１領域
４１ｂ    第２領域
４１ｃ    所定角度領域
４２      ヒータ
４３      再生ファン
６０      制御部
６５      判断部
６６      積算部
８２      運転切換ボタン（第１受付部）
８３      風量設定ボタン（第２受付部）
９０      表示部（報知部）
Ｌ１      第１仮想直線（第１直線）
Ｌ２      第２仮想直線（第２直線）
【先行技術文献】
【特許文献】
【０１５１】
【特許文献１】特開２００９―１６５９５６号公報
【図１】
0005310698.tif 000002
【図２】
0005310698.tif 000003
【図３】
0005310698.tif 000004
【図４】
0005310698.tif 000005
【図５】
0005310698.tif 000006
【図６】
0005310698.tif 000007
【図７】
0005310698.tif 000008
【図８】
0005310698.tif 000009
【図９】
0005310698.tif 000010
【図１０】
0005310698.tif 000011
【図１１】
0005310698.tif 000012
【図１２】
0005310698.tif 000013
【図１３】
0005310698.tif 000014
【図１４】
0005310698.tif 000015
【図１５】
0005310698.tif 000016
【図１６】
0005310698.tif 000017
【図１７】
0005310698.tif 000018